【手続補正書】
【提出日】平成27年2月17日(2015.2.17)
【手続補正１】
【補正対象書類名】特許請求の範囲
【補正対象項目名】全文
【補正方法】変更
【補正の内容】
【特許請求の範囲】
【請求項１】
言語属性が付加された第１の文字コードを含む印刷データを受信する印刷データ受信部と、
前記第１の文字コードを、前記言語属性で印刷装置が対応する第２の文字コードに変換する文字コード変換部と、
前記文字コード変換部で変換された前記第２の文字コードに、前記印刷装置の文字コードを前記言語属性に対応して切り替える文字コード切り替えコマンドを付加した印刷指示コマンドを生成するコマンド生成部と、
前記印刷指示コマンドを、前記印刷装置に送信するコマンド送信部と、を備えたことを特徴とする印刷制御装置。
【請求項２】
前記第１の文字コードに前記言語属性が付加されていない場合、
前記文字コード変換部は、予め定められた言語属性に基づいて、前記第１の文字コードを変換し、
前記コマンド生成部は、前記文字コード切り替えコマンドの付加を行わない請求項１に記載の印刷制御装置。
【請求項３】
前記印刷データは、マークアップ言語で記述され、前記言語属性は要素の属性として記述され、前記第１の文字コードが要素の内容として記述される請求項１または２に記載の印刷制御装置。
【請求項４】
前記印刷装置の搭載文字に関する情報を含む印刷装置情報を記憶する記憶部と、
前記記憶部に記憶された前記印刷装置情報を前記印刷データの送信元に送信する印刷装置情報通知部と、を備える請求項１ないし３のいずれか１項に記載の印刷制御装置。
【請求項５】
言語属性が付加された第１の文字コードを含む印刷データを送信するホストと、
前記印刷データを印刷する印刷装置と、
前記ホストから前記印刷データを受信する印刷データ受信部、前記第１の文字コードを前記言語属性で前記印刷装置が対応する第２の文字コードに変換する文字コード変換部、前記文字コード変換部で変換された前記第２の文字コードに、前記印刷装置の文字コードを前記言語属性に対応して切り替える文字コード切り替えコマンドを付加した印刷指示コマンドを生成するコマンド生成部、及び前記印刷指示コマンドを前記印刷装置に送信するコマンド送信部を有する印刷制御装置と、を備えたことを特徴とする印刷システム。
【請求項６】
前記第１の文字コードに前記言語属性が付加されていない場合、
前記文字コード変換部は、予め定められた言語属性に基づいて、前記第１の文字コードを変換し、
前記コマンド生成部は、前記文字コード切り替えコマンドの付加を行わない請求項５に記載の印刷システム。
【請求項７】
前記印刷データは、マークアップ言語で記述され、前記言語属性は要素の属性として記述され、前記第１の文字コードが要素の内容として記述される請求項５または６に記載の印刷システム。
【請求項８】
前記印刷装置の搭載文字に関する情報を含む印刷装置情報を記憶する記憶部と、
前記記憶部に記憶された前記印刷装置情報を前記印刷データの送信元に送信する印刷装置情報通知部と、を備える請求項５ないし７のいずれか１項に記載の印刷システム。
【請求項９】
前記ホストは、Ｗｅｂブラウザーを動作させるブラウザー制御部を備えると共に、前記印刷制御装置は、ＨＴＴＰサーバーを備え、
前記ホストは、
前記Ｗｅｂブラウザーで動作するスクリプトまたはプラグインを用いて前記印刷データを生成し、前記印刷制御装置に対してＨＴＴＰによる印刷要求を行う請求項５ないし８のいずれか１項に記載の印刷システム。
【請求項１０】
言語属性が付加された第１の文字コードを含む印刷データを受信する印刷データ受信部と、
前記第１の文字コードを前記言語属性で印刷装置が対応する第２の文字コードに変換する文字コード変換部と、
前記文字コード変換部で変換された前記第２の文字コードに、前記印刷装置の文字コードを前記言語属性に対応して切り替える文字コード切り替えコマンドを付加した印刷指示コマンドを生成するコマンド生成部と、
前記印刷指示コマンドに基づいて印刷を行う印刷部と、を備えたことを特徴とする印刷装置。
【請求項１１】
前記第１の文字コードに前記言語属性が付加されていない場合、
前記文字コード変換部は、予め定められた言語属性に基づいて、前記第１の文字コードを変換し、
前記コマンド生成部は、前記文字コード切り替えコマンドの付加を行わない請求項１０に記載の印刷装置。
【請求項１２】
前記印刷データは、マークアップ言語で記述され、前記言語属性は要素の属性として記述され、前記第１の文字コードが要素の内容として記述される請求項１０または１１に記載の印刷装置。
【請求項１３】
前記印刷装置の搭載文字に関する情報を含む印刷装置情報を記憶する記憶部と、
前記記憶部に記憶された前記印刷装置情報を前記印刷データの送信元に送信する印刷装置情報通知部と、を備える請求項１０ないし１２のいずれか１項に記載の印刷装置。
【請求項１４】
言語属性が付加された第１の文字コードを含む印刷データを受信し、
前記第１の文字コードを、前記言語属性で印刷装置が対応する第２の文字コードに変換し、
変換された前記第２の文字コードに、印刷装置の文字コードを前記言語属性に対応して切り替えるための文字コード切り替えコマンドを付加した印刷指示コマンドを生成し、
前記印刷指示コマンドを、前記印刷装置に送信することを特徴とする印刷制御方法。
【請求項１５】
前記第１の文字コードに前記言語属性が付加されていない場合、
前記第２の文字コードへの変換は、予め定められた言語属性に基づいて、前記第１の文字コードを変換し、
前記印刷指示コマンドの生成は、前記文字コード切り替えコマンドの付加を行わない請求項１４に記載の印刷制御方法。
【請求項１６】
前記印刷データは、マークアップ言語で記述され、前記言語属性は要素の属性として記述され、前記第１の文字コードが要素の内容として記述される請求項１４または１５に記載の印刷制御方法。
【請求項１７】
前記印刷装置の搭載文字に関する情報を含む印刷装置情報を記憶し、
前記記憶された前記印刷装置情報を前記印刷データの送信元に送信する請求項１４ないし１６のいずれか１項に記載の印刷制御方法。
【手続補正２】
【補正対象書類名】明細書
【補正対象項目名】０００６
【補正方法】変更
【補正の内容】
【０００６】
本発明の印刷制御装置は、言語属性が付加された第１の文字コードを含む印刷データを受信する印刷データ受信部と、第１の文字コードを、言語属性で印刷装置が対応する第２の文字コードに変換する文字コード変換部と、文字コード変換部で変換された第２の文字コードに、印刷装置の文字コードを言語属性に対応して切り替える文字コード切り替えコマンドを付加した印刷指示コマンドを生成するコマンド生成部と、印刷指示コマンドを、印刷装置に送信するコマンド送信部と、を備えたことを特徴とする。
【手続補正３】
【補正対象書類名】明細書
【補正対象項目名】０００７
【補正方法】変更
【補正の内容】
【０００７】
本発明の印刷制御方法は、言語属性が付加された第１の文字コードを含む印刷データを受信し、第１の文字コードを、言語属性で印刷装置が対応する第２の文字コードに変換し、変換された第２の文字コードに、印刷装置の文字コードを言語属性に対応して切り替えるための文字コード切り替えコマンドを付加した印刷指示コマンドを生成し、印刷指示コマンドを、印刷装置に送信することを特徴とする。
【手続補正４】
【補正対象書類名】明細書
【補正対象項目名】０００９
【補正方法】変更
【補正の内容】
【０００９】
上記の印刷制御装置において、第１の文字コードに言語属性が付加されていない場合、文字コード変換部は、予め定められた言語属性に基づいて、第１の文字コードを変換し、コマンド生成部は、文字コード切り替えコマンドの付加を行わないことを特徴とする。
【手続補正５】
【補正対象書類名】明細書
【補正対象項目名】００１１
【補正方法】変更
【補正の内容】
【００１１】
上記の印刷制御装置において、印刷データは、マークアップ言語で記述され、言語属性は要素の属性として記述され、第１の文字コードが要素の内容として記述されることを特徴とする。
【手続補正６】
【補正対象書類名】明細書
【補正対象項目名】００１３
【補正方法】変更
【補正の内容】
【００１３】
上記の印刷制御装置において、印刷装置の搭載文字に関する情報を含む印刷装置情報を記憶する記憶部と、記憶部に記憶された印刷装置情報を印刷データの送信元に送信する印刷装置情報通知部と、を備えることを特徴とする。
【手続補正７】
【補正対象書類名】明細書
【補正対象項目名】００１５
【補正方法】削除
【補正の内容】
【手続補正８】
【補正対象書類名】明細書
【補正対象項目名】００１７
【補正方法】変更
【補正の内容】
【００１７】
本発明の印刷システムは、言語属性が付加された第１の文字コードを含む印刷データを送信するホストと、印刷データを印刷する印刷装置と、ホストから印刷データを受信する印刷データ受信部、第１の文字コードを言語属性で印刷装置が対応する第２の文字コードに変換する文字コード変換部、文字コード変換部で変換された第２の文字コードに、印刷装置の文字コードを言語属性に対応して切り替える文字コード切り替えコマンドを付加した印刷指示コマンドを生成するコマンド生成部、及び印刷指示コマンドを印刷装置に送信するコマンド送信部を有する印刷制御装置と、を備えたことを特徴とする。上記の印刷制御装置において、ホストは、Ｗｅｂブラウザーを動作させるブラウザー制御部を備えると共に、印刷制御装置は、ＨＴＴＰサーバーを備え、ホストは、Ｗｅｂブラウザーで動作するスクリプトまたはプラグインを用いて印刷データを生成し、印刷制御装置に対してＨＴＴＰによる印刷要求を行うことを特徴とする。
【手続補正９】
【補正対象書類名】明細書
【補正対象項目名】００１８
【補正方法】変更
【補正の内容】
【００１８】
本発明の印刷装置は、言語属性が付加された第１の文字コードを含む印刷データを受信する印刷データ受信部と、第１の文字コードを言語属性で印刷装置が対応する第２の文字コードに変換する文字コード変換部と、文字コード変換部で変換された第２の文字コードに、印刷装置の文字コードを言語属性に対応して切り替える文字コード切り替えコマンドを付加した印刷指示コマンドを生成するコマンド生成部と、印刷指示コマンドに基づいて印刷を行う印刷部と、を備えたことを特徴とする。
【手続補正１０】
【補正対象書類名】明細書
【補正対象項目名】０１１０
【補正方法】変更
【補正の内容】
【０１１０】
なお、第４実施形態の構成は、ホスト２０に印刷ドライバーを必要としないため、第３実施形態と同様に、ドライバーレスのプラットフォーム上で動作するホスト２０を用いた場合に好適である。また、上記の第４実施形態では、指定されたカラーモードが、指定された印刷装置３２のコマンド体系に対応していない場合、そのカラーモードが付加された画像データを無視するものとしたが、画像データを含む印刷データ全体の印刷を中止しても良い。
【手続補正１１】
【補正対象書類名】図面
【補正対象項目名】図１２
【補正方法】変更
【補正の内容】
【図１２】
2013214227.tif 000001
【手続補正１２】
【補正対象書類名】図面
【補正対象項目名】図１５
【補正方法】変更
【補正の内容】
【図１５】
2013214227.tif 000002